【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
人工光源は、可視光範囲において光を出射し、選択された生物活性波長帯域において出射された光が前記可視光範囲における前記人工光源から全放射照度の６パーセント（６％）未満を出射する概日夜モード（ＣＮｉｇｈｔモード）をもたらし；
前記ＣＮｉｇｈｔモードの紫色光は、４００〜４４０ｎｍ、４００〜４３５ｎｍ、４００〜４３０ｎｍ、４００〜４２５ｎｍ、および、４００〜４１５ｎｍから成るグループから選択され、かつ、前記可視光範囲における前記光源からの前記全放射照度の、４パーセント（４％）超の平均放射照度を有する波長帯においてもたらされる、人工光源。
【請求項２】
前記ＣＮｉｇｈｔモードにおける前記選択された生物活性波長帯域は、４３０ｎｍ〜５００ｎｍ、４３０ｎｍ〜４９０ｎｍ、４３０ｎｍ〜４８０ｎｍ、４３０ｎｍ〜４７０ｎｍ、４３５ｎｍ〜５００ｎｍ、４３５ｎｍ〜４９０ｎｍ、４３５ｎｍ〜４８０ｎｍ、４３５ｎｍ〜４７０ｎｍ、４４０ｎｍ〜５００ｎｍ、４４０ｎｍ〜４９０ｎｍ、４４０ｎｍ〜４８０ｎｍ、４４０ｎｍ〜４７０ｎｍ、４５０ｎｍ〜５００ｎｍ、４５０ｎｍ〜４９０ｎｍ、および、４６０ｎｍ〜５００ｎｍの生物活性波長帯域から成るグループから選択される、請求項１に記載の人工光源。
【請求項３】
ＣＮｉｇｈｔモードにおける前記選択された生物活性波長帯域は、前記可視光範囲における前記人工光源からの前記全放射照度の、４パーセント（４％）未満、２パーセント（２％）未満、および、１パーセント（１％）未満から成るグループから選択された放射照度を出射する、請求項２に記載の人工光源。
【請求項４】
前記人工光源に連結されるように適応されたノッチフィルターを含み、
前記ノッチフィルターは、前記ＣＮｉｇｈｔモードにおける前記生物活性波長帯における前記人工光源によって放出された光をフィルター処理するように構成される、請求項３に記載の人工光源。
【請求項５】
前記ノッチフィルターは、一般的に固定される前記人工光源に対して移動可能である、請求項４に記載の人工光源。
【請求項６】
前記ノッチフィルターは二色性フィルターである、請求項４に記載の人工光源。
【請求項７】
前記ノッチフィルターは吸収性フィルターである、請求項４に記載の人工光源。
【請求項８】
前記人工光源は紫色ポンプ式ＬＥＤ＋蛍光チップを含む、請求項３に記載の人工光源。
【請求項９】
前記人工光源は、組み合わせて白色光をもたらす、紫色ＬＥＤ、緑色ＬＥＤ、および、赤色ＬＥＤを含むＬＥＤアレイを備える、請求項３に記載の人工光源。
【請求項１０】
前記人工光源は、窒化ガリウムおよびインジウムＬＥＤ、サファイア上窒化ガリウムＬＥＤ、または、炭化ケイ素上窒化ガリウムＬＥＤを含む、請求項３に記載の人工光源。
【請求項１１】
前記人工光源は窒化ガリウム上窒化ガリウムＬＥＤを含む、請求項３に記載の人工光源。
【請求項１２】
前記ＣＮｉｇｈｔモードは、前記人工光源または第２の光源によってもたらされる概日昼モード（ＣＤａｙモード）と交番し、前記ＣＤａｙモードの前記選択された生物活性波長帯域は、前記可視光範囲における前記光源からの前記全放射照度の、４パーセント（４％）超、６パーセント（６％）超、および、１０パーセント（１０％）超から成るグループから選択された放射照度を出射する、請求項３に記載の人工光源を含む照明システム。
【請求項１３】
前記システムは、所定の概日相または時刻命令に応答して、前記ＣＤａｙモードと前記ＣＮｉｇｈｔモードとの間で移行するように構成され、ＣＤａｙの継続時間および計時、ならびに、ＣＮｉｇｈｔの継続時間および計時は、季節調節された時間、もしくは、一定のクロック時間に基づくことができ、または、使用者によってあらかじめ設定可能である、請求項１２に記載の照明システム。
【請求項１４】
前記システムは、前記ＣＤａｙモードと前記ＣＮｉｇｈｔモードとの間で段階的に移行するように構成される、請求項１２に記載の照明システム。
【請求項１５】
前記人工光源は前記ＣＮｉｇｈｔモードにおける光のみを出射し、前記システムは、前記ＣＤａｙモードにおける光を出射する第２の光源を含む、請求項１２に記載の照明システム。
【請求項１６】
前記第２の光源は前記人工光源と平行に設置される、または、人工的に照光された環境空間における前から存在する光源である、請求項１５に記載の照明システム。
【請求項１７】
前記人工光源はＬＥＤを含む、請求項１２に記載の照明システム。
【請求項１８】
前記ＬＥＤは、有機発光ダイオードまたは量子ドットＬＥＤを含む、請求項１７に記載の照明システム。
【請求項１９】
光源であって、
ＬＥＤチップの第１および第２の別個に制御されるセットを含み、
前記ＬＥＤチップの第１のセットは、ＣＤａｙモードで電源が入れられ、かつ、４００〜７００ｎｍ範囲にわたる可視光スペクトルを放出するように構成され、前記ＬＥＤチップの第２のセットは紫色ＬＥＤを含み、前記ＬＥＤチップの第２のセットは、ＣＮｉｇｈｔモードで電源が入れられるように構成され、前記ＣＮｉｇｈｔモードでは、前記ＬＥＤチップの第２のセットは、生物活性波長帯において光を限定することで、前記生物活性波長帯は、可視光範囲における前記光源からの全放射照度の６パーセント（６％）未満を出射し、それによって、昼−夜パターン照明は、前記ＬＥＤチップの第１のセットと前記ＬＥＤチップの第２のセットとの間で切り換えることによって実現されるように適応される、光源。
【請求項２０】
前記ＣＮｉｇｈｔモードにおける前記生物活性波長帯は、４３０ｎｍ〜５００ｎｍ、４３０ｎｍ〜４９０ｎｍ、４３０ｎｍ〜４８０ｎｍ、４３０ｎｍ〜４７０ｎｍ、４３５ｎｍ〜５００ｎｍ、４３５ｎｍ〜４９０ｎｍ、４３５ｎｍ〜４８０ｎｍ、４３５ｎｍ〜４７０ｎｍ、４４０ｎｍ〜５００ｎｍ、４４０ｎｍ〜４９０ｎｍ、４４０ｎｍ〜４８０ｎｍ、４４０ｎｍ〜４７０ｎｍ、４５０ｎｍ〜５００ｎｍ、４５０ｎｍ〜４９０ｎｍ、および、４６０ｎｍ〜５００ｎｍの生物活性波長帯域から成るグループから選択される、請求項１９に記載の光源。
【請求項２１】
前記ＣＮｉｇｈｔモードにおける前記生物活性波長帯は、前記可視光範囲における前記光源からの前記全放射照度の、４パーセント（４％）未満、２パーセント（２％）未満、および、１パーセント（１％）未満から成るグループから選択された放射照度を出射する、請求項２０に記載の光源。
【請求項２２】
前記ＬＥＤチップの第１のセットおよび前記ＬＥＤチップの第２のセットのうちの１つまたは両方ともが単一タイプのＬＥＤを含有する、請求項２１に記載の光源。
【請求項２３】
前記ＬＥＤチップの第１のセットおよび第２のセットは両方とも紫色ＬＥＤチップを含み、前記ＬＥＤチップの第１のセットおよび前記ＬＥＤチップの第２のセットは、異なる蛍光体または蛍光体の組み合わせによって被覆される、請求項２１に記載の光源。
【請求項２４】
前記紫色ＬＥＤチップ上で使用される被覆材料は、コロイド量子ドットを含む、請求項２１に記載の光源。
【請求項２５】
前記紫色ＬＥＤチップ上で使用される被覆材料が、アルキルナノ結晶を含む、請求項２１に記載の光源。
【請求項２６】
前記光源は、窒化ガリウム上窒化ガリウムＬＥＤを含む、請求項２１に記載の光源。
【請求項２７】
第１のチャネルおよび第２のチャネルを通して光を放出する複数のＬＥＤチップを含む光源を含み、
前記第１のチャネルは、ＣＮｉｇｈｔモード中に、生物活性波長帯における光透過を限定する蛍光体または蛍光体のセットによって被覆されることで、前記生物活性波長帯は、可視光範囲における前記光源からの全放射照度の６パーセント（６％）未満を出射するようにし、前記第２のチャネルは、ＣＤａｙモード中に電源が入れられるように構成され、前記ＣＤａｙモードにおける前記生物活性波長帯は、前記可視光範囲の前記光源からの前記全放射照度の６パーセント（６％）超を出射する、照明システム。
【請求項２８】
前記ＣＮｉｇｈｔモードにおける前記生物活性波長帯は、４３０ｎｍ〜５００ｎｍ、４３０ｎｍ〜４９０ｎｍ、４３０ｎｍ〜４８０ｎｍ、４３０ｎｍ〜４７０ｎｍ、４３５ｎｍ〜５００ｎｍ、４３５ｎｍ〜４９０ｎｍ、４３５ｎｍ〜４８０ｎｍ、４３５ｎｍ〜４７０ｎｍ、４４０ｎｍ〜５００ｎｍ、４４０ｎｍ〜４９０ｎｍ、４４０ｎｍ〜４８０ｎｍ、４４０ｎｍ〜４７０ｎｍ、４５０ｎｍ〜５００ｎｍ、４５０ｎｍ〜４９０ｎｍ、および、４６０ｎｍ〜５００ｎｍの生物活性波長帯域から成るグループから選択される、請求項２７に記載の照明システム。
【請求項２９】
前記ＣＮｉｇｈｔモードにおける前記生物活性波長帯は、前記可視光範囲における前記光源からの前記全放射照度の、４パーセント（４％）未満、２パーセント（２％）未満、および、１パーセント（１％）未満から成るグループから選択された放射照度を出射する、請求項２８に記載の照明システム。
【請求項３０】
前記光源は窒化ガリウム上窒化ガリウムＬＥＤを含む、請求項２９に記載の照明システム。